(57)【特許請求の範囲】
【請求項１】
画像を形成するための画像形成部と、
原稿の画像情報を読み取り可能な画像読取部と、
前記画像形成部を収容する本体フレームと、
前記本体フレームに対向配置され、前記画像読取部を支持する支持フレームと
を備え、
前記支持フレームは、
前記本体フレームと前記支持フレームとの対向方向と直交する直交方向の一方側に設けられる第１係合部と、
前記直交方向他方側に設けられる第２係合部と、
前記直交方向一方側と前記直交方向他方側にそれぞれ設けられ、ユーザが把持するための把持部と
を備え、
前記本体フレームは、
前記直交方向一方側に設けられ、前記第１係合部と係合される第１被係合部と、
前記直交方向他方側に設けられ、前記第２係合部と係合される第２被係合部と
を備え、
前記第１係合部は、
前記支持フレームから前記本体フレームへ向かって延びる第１立設部と、
前記第１立設部の前記本体フレーム側の端部から前記直交方向一方側へ延びる第１延出部と
を備え、
前記第１被係合部は、
前記本体フレームから前記支持フレームへ向かって延びる第２立設部と、
前記第２立設部の前記支持フレーム側の端部から前記直交方向他方側へ延びる第２延出部と
を備え、
前記第２係合部は、前記支持フレームから前記本体フレームへ向かって延びる係止部を備え、
前記第２被係合部は、前記係止部が係止される被係止部を備えていることを特徴とする、画像形成装置。
【請求項２】
前記第１係合部は、前記第１立設部と前記第１延出部とを連結する第１連結部を備え、
前記第１被係合部は、前記第２立設部と前記第２延出部とを連結する第２連結部を備えていることを特徴とする、請求項１に記載の画像形成装置。
【請求項３】
前記支持フレームは、前記本体フレームへ向かって突出形成される突起を備え、
前記本体フレームは、前記突起が嵌合される嵌合穴を備えることを特徴とする、請求項１または２に記載の画像形成装置。
【請求項４】
前記突起は、少なくとも支持フレームの前記直交方向他方側に形成され、
前記嵌合穴は、少なくとも本体フレームの前記直交方向他方側に形成されることを特徴とする、請求項３に記載の画像形成装置。
【請求項５】
前記第１係合部は、前記対向方向および前記直交方向の両方と直交する方向に沿って、互いに間隔を隔てて複数並列配置されており、
前記第２係合部は、前記第１係合部の並列方向に沿って互いに間隔を隔てて複数並列配置されており、
前記突起は、前記直交方向において、前記第１係合部と前記第２係合部との間に配置され、かつ、前記並列方向において、前記並列方向最一方側の前記第１係合部および前記第２係合部と、前記並列方向最他方側の前記第１係合部および前記第２係合部との間に配置されていることを特徴とする、請求項３または４に記載の画像形成装置。
【請求項６】
前記第２係合部は、さらに、前記対向方向および前記直交方向の両方と直交する方向の一方側または他方側の少なくともいずれかにおいて、前記支持フレームに設けられていることを特徴とする、請求項１ないし５のいずれか一項に記載の画像形成装置。
【請求項７】
前記支持フレームは、
前記直交方向一方側において、前記直交方向一方側へ突出する第１突出部と、
前記直交方向他方側において、前記直交方向他方側へ突出する第２突出部と
を備え、
把持部は、前記第１突出部と、前記第２突出部とに、設けられていることを特徴とする、請求項１ないし６のいずれかに一項に記載の画像形成装置。
【請求項８】
前記本体フレームは、
前記画像形成部を挟むように前記直交方向に互いに間隔を隔てて対向配置される一対の第１フレームと、
前記第１フレームの前記支持フレーム側の端部を連結するように設けられる第２フレームと
を備え、
前記第１被係合部および前記第２被係合部は前記第２フレームに設けられていることを特徴とする、請求項１ないし７のいずれか１項に記載の画像形成装置。
【請求項９】
外部機器と通信するための通信基板をさらに備え、
前記第２フレームは、前記通信基板を保持する保持部を備えることを特徴とする、請求項８に記載の画像形成装置。
【発明の詳細な説明】
【技術分野】
【０００１】
本発明は、電子写真方式が採用される画像形成装置に関する。
【背景技術】
【０００２】
用紙に画像を形成する画像形成部と、画像形成部の上方に組み付けられ、原稿の画像を読み取る画像読取部とを備える画像形成装置が知られている。
【０００３】
例えば、画像形成部を有する装置本体と、画像読取部を有し、装置本体の上方に載置される画像読み取りユニットとを備える画像形成装置が提案されている（例えば、特許文献１参照。）。
【先行技術文献】
【特許文献】
【０００４】
【特許文献１】特開２００９−１５７０８３号公報
【発明の概要】
【発明が解決しようとする課題】
【０００５】
しかるに上記した特許文献１に記載の画像形成装置では、装置本体に画像読み取りユニットを組み付けるときに、まず、装置本体の中央部に配置された複数のフックを、画像読み取りユニットの複数の嵌合穴にそれぞれ通した後、装置本体に対して画像読み取りユニットをスライドさせる。そして、装置本体と画像読み取りユニットとは、互いに側板で固定されるか、ネジ止めされる。
【０００６】
そのため、画像読み取りユニットを把持して画像形成装置を持ち上げると、フックが嵌合穴に対して相対移動可能な分、装置本体がわずかにがたつく場合がある。装置本体が画像読み取りユニットに対して相対移動すると、その分、フックにかかる荷重が増大する。
【０００７】
そこで、本発明の目的は、画像形成部を備える本体フレームと、画像読取部を備える支持フレームとを備える画像形成装置において、支持フレームを把持した場合においても、支持フレームと本体フレームとのがたつきを抑制できる画像形成装置を提供することにある。
【課題を解決するための手段】
【０００８】
（１）上記した目的を達成するために、本発明の画像形成装置は、画像を形成するための画像形成部と、原稿の画像情報を読み取り可能な画像読取部と、画像形成部を収容する本体フレームと、本体フレームに対向配置され、画像読取部を支持する支持フレームとを備える。
【０００９】
支持フレームは、本体フレームと支持フレームとの対向方向と直交する直交方向の一端部に設けられる第１係合部と、直交方向他端部に設けられる第２係合部と、直交方向一端部と直交方向他端部にそれぞれ設けられ、ユーザが把持するための把持部とを備える。
【００１０】
本体フレームは、直交方向一方側に設けられ、第１係合部と係合される第１被係合部と、直交方向他方側に設けられ、第２係合部と係合される第２被係合部とを備える。
【００１１】
このような構成によれば、本体フレームの直交方向一端部は、第１係合部と第１被係合部とが係合されることにより、支持フレームの直交方向一端部に対して固定される。
【００１２】
また、本体フレームの直交方向他端部は、第２係合部と第２被係合部とが係合されることにより、支持フレームの直交方向他端部に対して固定される。
【００１３】
そのため、画像形成装置を支持フレームに設けられた把持部で把持するときに、本体フレームと支持フレームとのがたつきを、少なくとも直交方向において、抑制することができる。
【００１４】
これにより、各係合部（第１係合部、第２係合部）および各被係合部（第１被係合部、第２被係合部）に、本体フレームのがたつきに起因する荷重がかかることを抑制できる。
（２）また、第１係合部は、支持フレームから本体フレームへ向かって延びる第１鉤状部を備えてもよい。
【００１５】
第１被係合部は、第１鉤状部と嵌合されるように本体フレームから支持フレームへ向かって延びる第２鉤状部を備えてもよい。
【００１６】
第２係合部および第２被係合部のいずれか一方は、凸部を有する第１スナップ部材を備え、他方は、凸部と係合される凹部を有する第２スナップ部材を備えてもよい。
【００１７】
このような構成によれば、簡易な構成で第１係合部と第１被係合部とを係合することができるとともに、第２係合部と第２被係合部とを係合することができる。
【００１８】
そのため、本体フレームと支持フレームを簡易な構成で組み付けることができる。
（３）また、第１鉤状部は、支持フレームから本体フレームへ向かって延びる第１立設部と、第１立設部の本体フレーム側の端部から直交方向一方側へ延びる第１延出部と、第１立設部の直交方向一方側面から第１延出部の支持フレーム側面に連続される第１補強部と
を備えてもよい。
【００１９】
第２鉤状部は、本体フレームから支持フレームへ向かって延びる第２立設部と、第２立設部の支持フレーム側の端部から直交方向他方側へ延びる第２延出部と、第２立設部の直交方向他方側面から第２延出部の前記本体フレーム側面に連続される第２補強部とを備えてもよい。
【００２０】
このような構成によれば、画像形成装置を本体フレームと支持フレームの対向方向に持ち上げたときに、第１補強部によって、第１延出部の本体フレーム側へのたわみを抑制することができるとともに、第２補強部によって、第２延出部の支持フレーム側へのたわみを抑制することができる。
【００２１】
そのため、支持フレームを把持して画像形成装置を持ち上げたときに、本体フレームを支持フレームに確実に追従させることができる。
（４）また、支持フレームおよび本体フレームのいずれか一方は、突起を備え、他方は、突起に嵌合される嵌合穴を備えてもよい。
【００２２】
このような構成によれば、突起と嵌合穴との嵌合により、本体フレームと支持フレームとのがたつきをより抑制することができる。
（５）また、突起は、少なくとも支持フレームの直交方向他方側に形成され、嵌合穴は、少なくとも本体フレームの直交方向他方側に形成されてもよい。
【００２３】
このような構成によれば、突起は第２係合部および第２被係合部の近傍において、本体フレームと支持フレームとのがたつきをより抑制することができる。
【００２４】
そのため、本体フレームのがたつきに起因して、第２係合部および第２被係合部に荷重がかかることを抑制できる。
【００２５】
その結果、第２係合部および第２被係合部の破損を防止することができる。
（６）第１係合部および第２係合部は、対向方向および直交方向の両方と直交する方向において、互いに間隔を隔ててそれぞれ複数配置され、突起は、対向方向に投影したときに、全ての第１係合部と全ての第２係合部とを、最大面積となるように結んだ投影面内に配置してもよい。
【００２６】
このような構成によれば、突起は直交方向一方側と直交方向他方側の各係合部（第１係合部、第２係合部）に挟まれるように形成される。
【００２７】
そのため、直交方向外側の各係合部（第１係合部、第２係合部）で、本体フレームと支持フレームとのがたつきを防止できるとともに、直交方向内側の突起で、係合部にかかる荷重の一部（直交方向における荷重）を受けることができる。
【００２８】
その結果、本体フレームと支持フレームとのがたつきを抑制しながら、各係合部（第１係合部、第２係合部）の破損を防止することができる。
（７）また、第２係合部は、さらに、対向方向および直交方向の両方と直交する方向の一方側または他方側の少なくともいずれかにおいて、支持フレームに設けてもよい。
【００２９】
このような構成によれば、本体フレームと支持フレームとのがたつきを対向方向と直交方向との両方と直交する方向においても、抑制することができる。
（８）また、支持フレームは、直交方向一方側において、直交方向一方側へ突出する第１突出部と、直交方向他方側において、直交方向他方側へ突出する第２突出部とを備え、把持部は前記第１突出部と、前記第２突出部とに、設けてもよい。
【００３０】
このような構成によれば、支持フレームの第１突出部と第２突出部とを把持することで、画像形成装置を、直交方向において安定に持ち上げることができる。
（９）また、本体フレームは、画像形成部を挟むように直交方向に互いに間隔を隔てて対向配置される一対の第１フレームと、第１フレームの支持フレーム側の端部を連結するように設けられる第２フレームとを備え、第１被係合部および第２被係合部は第２フレームに設けてもよい。
【００３１】
このような構成によれば、一対の第１フレームを第２フレームで連結することにより、本体フレームの剛性を確保できる。
（１０）外部機器と通信するための通信基板をさらに備え、第２フレームは、通信基板を保持する保持部を備えてもよい。
【００３２】
このような構成によれば、通信基板を画像形成部と画像読取部との間に効率よく配置することができる。
【発明の効果】
【００３３】
本発明の画像形成装置では、支持フレームの各係合部（第１係合部、第２係合部）および本体フレームの各被係合部（第１被係合部、第２被係合部）に、本体フレームのがたつきに起因する荷重がかかることを抑制できる。
【図面の簡単な説明】
【００３４】
【図１】図１は、本発明の画像形成装置の第１実施形態のプリンタを右上側から見た斜視図である。
【図２】図２は、図１に示すプリンタを右上側から見た分解斜視図である。
【図３】図３は、図２に示すトレイ形成部材を右上側から見た斜視図である。
【図４】図４は、図２に示す支持フレームを左下側から見た斜視図である。
【図５】図５は、図２に示す支持フレームとトレイ形成部材との組み付けを説明するための説明図であって、支持フレームの支持フレーム側フックとトレイ形成部材の本体側フックとを係合した状態を示す。
【図６】図６は、支持フレームおよびトレイ形成部材の右後側から見た斜視図である。
【図７】図７は、図６に示す支持フレームおよびトレイ形成部材の左後側から見た斜視図である。
【図８】図８は、図６に示す支持フレームとトレイ形成部材との断面図を示す。
【図９】図９は、図２に示すトレイ形成部材の保持部に対する通信基板の組み付けを説明するための説明図であって、（ａ）は、通信基板の下端部を第１係止部に係合させた状態を示し、（ｂ）は、組み付けが完了した状態を示す。
【図１０】図１０は、第２実施形態の支持フレームの左下側から見た斜視図である。
【発明を実施するための形態】
【００３５】
１．プリンタの全体構成
図１に示すように、画像形成装置の一例としてのプリンタ１は、本体フレームの一例としての本体ケーシング２と、本体ケーシング２の上に設けられ、原稿の画像情報を読み取る画像読取ユニット３とを一体的に備える複合機である。
【００３６】
本体ケーシング２は、略ボックス形状に形成されており、その一方側壁には、本体開口部６が形成されており、フロントカバー７が、その下端部を支点として、本体開口部６を閉鎖する閉位置と、本体開口部６を開放する開位置とに揺動（移動）可能に設けられている。
【００３７】
なお、以下の説明において、方向について言及する場合には、フロントカバー７が設けられる側を前側とし、その反対側を後側とする。具体的には前後方向、上下方向および左右方向（幅方向）は各図に示す方向矢印を基準とする。
【００３８】
本体ケーシング２内には、用紙を給紙するための給紙部４と、給紙された用紙に画像を形成するための画像形成部５（図２参照）とが収容されている。
【００３９】
給紙部４は、本体ケーシング２の下端部に設けられ、用紙を収容する給紙トレイ９を備えている。
【００４０】
給紙トレイ９は、本体ケーシング２内の底部に着脱自在に装着されている。
【００４１】
画像形成部５は、給紙部４の上側に設けられている（図２参照）。
【００４２】
給紙トレイ９に収容される用紙は、画像形成部５に向けて給紙され、画像形成部５において画像形成された後、排紙口６３（図２参照）を介して、本体ケーシング２の上面に形成される排紙トレイ８上に排紙される。
【００４３】
画像読取ユニット３は、排紙トレイ８を覆うように、本体ケーシング２の上方に対向配置されている。画像読取ユニット３は、本体ケーシング２と略同じ前後方向長さおよび左右方向長さを有する平面視略矩形状に形成されている。
２．本体ケーシング
本体ケーシング２は、図１および図２に示すように、第２フレームの一例としてのトレイ形成部材１３と、左右一対の第１フレームの一例としての側壁１２とを備えている。
（１）トレイ形成部材の詳細
図２および図３に示すように、トレイ形成部材１３は、樹脂材料から、平面視略矩形の枠形状に形成されている。詳しくは、左右方向に互いに間隔を隔てて対向配置される右側壁１５および左側壁１６と、右側壁１５および左側壁１６の後端部を連結する後壁１７と、それらに囲まれるように配置され、右側壁１５および左側壁１６の下端部を連結する底板６５とを一体的に備えている。
（１−１）右側壁
右側壁１５は、前後方向に長手の側面視略矩形状に形成されている。
【００４４】
右側壁１５は、その上面に、第１被係合部の一例としての本体側フック１８と、嵌合穴の一例としての第１ボス穴１９とを備えている。
【００４５】
本体側フック１８は、右側壁１５の右端部において、前後方向に互いに間隔を隔てて２つ設けられている。本体側フック１８は、第２鉤状部の一例としての鉤状部２０と、第２補強部の一例としての補強部２１とを一体的に備えている。
【００４６】
鉤状部２０は、上方に向かって延びる正面視略Ｌ字状に形成されている。詳しくは、鉤状部２０は、右側壁１５の上端縁から、上方に向かって延びる第２立設部の一例としての立設部２２と、立設部２２の上端部から左方へ向かって延びる第２延出部の一例としての延出部２３とを備えている。
【００４７】
補強部２１は、正面視略矩形状の平板形状に形成され、鉤状部２０を正面視したときに、右側壁１５の上面と、立設部２２と、延出部２３とに囲まれた空間を閉鎖するように設けられている。
【００４８】
より具体的には、前側の本体側フック１８の補強部２１は、前側の本体側フック１８の立設部２２および延出部２３の後端部に連続するように設けられている。また、後側の本体側フック１８の補強部２１は、後側の本体側フック１８の立設部２２および延出部２３の前端部に連続するように設けられている。
【００４９】
第１ボス穴１９は、右側壁１５の左端部において、前後方向に間隔を隔てて２つ形成されている。
【００５０】
詳しくは、前側の第１ボス穴１９は、前側の本体側フック１８の左後側に配置され、後側の第１ボス穴１９は、後側の本体側フック１８の左前側に、配置されている。
【００５１】
前側の第１ボス穴１９は、左右方向に長手の平面視略長穴形状に形成されている。前側の第１ボス穴１９の前後方向長さは、ボス４７（後述）の直径と略同じ長さに形成され、前側の第１ボス穴１９の左右方向長さは、ボス４７（後述）の左右方向長さよりも長く形成されている。
【００５２】
後側の第１ボス穴１９は、左右方向に長手の平面視略矩形状に形成されている。後側の第１ボス穴１９の前後方向長さは、ボス４７（後述）の直径と略同じ長さに形成され、後側の第１ボス穴１９の左右方向長さは、ボス４７（後述）の外径よりも長く形成されている。
（１−２）左側壁
左側壁１６は、図３および図５に示すように、前後方向に長手の側面視略矩形状に形成されている。
【００５３】
左側壁１６は、その左側面に、第２被係合部および第１スナップ部材の一例としての凸スナップ部２４（図５参照）と、嵌合穴の一例としての第２ボス穴２５と、通信基板２８（後述）を支持する保持部２９（図５参照）とを備えている。
【００５４】
図５に示すように、凸スナップ部２４は、左側壁１６の左側面において、前後方向に互いに間隔を隔てて２つ設けられている。凸スナップ部２４は、左側壁１６の左側に突出する略角柱形状に形成されている。詳しくは、凸スナップ部２４の上面は、下側に向かうに従って左側に傾斜するように形成されている。すなわち、凸スナップ部２４は凸部として機能する。また、凸スナップ部２４の中央部には、ねじ穴２６が設けられている。
【００５５】
図３に示すように、第２ボス穴２５は、左側壁１６の上面の右端部において、前後方向に間隔を隔てて２つ形成されている。
【００５６】
詳しくは、前側の第２ボス穴２５は、前側の凸スナップ部２４の右後側に配置され、後側の第２ボス穴２５は、後側の凸スナップ部２４の右前側に、配置されている。
【００５７】
第２ボス穴２５は、平面視略円形状に形成されている。また、第２ボス穴２５の内径は、ボス４７（後述）の外径よりもわずかに大径に形成されている。
【００５８】
図５および図９に示すように、保持部２９は、左側壁１６の左面の前後方向中央部に設けられている。
【００５９】
保持部２９は、左側壁１６の左面から、右側へ凹むように、側面視略矩形状に形成されている。
【００６０】
保持部２９は、通信基板２８（後述）の下端部を係止するための第１係止部３３と、通信基板２８（後述）の前端部を規制するための規制壁３４と、通信基板２８（後述）の上端部を係止するための第２係止部３５とを備える。
【００６１】
第１係止部３３は、前後方向に間隔を隔てて２つ設けられている。第１係止部３３は、保持部２９の下壁の左端部から上方に向かって突出し、左右に延びる側面視略矩形状の平板形状に形成されている。
【００６２】
規制壁３４は、後面視略矩形状の平板形状に形成されており、保持部２９の右壁から左側へ延びるように形成されている。
【００６３】
第２係止部３５は、保持部２９の左側壁から左方に突出する平面視略矩形状の平板形状に形成され、その前後方向中央部に左右に延びる穴が形成されている。また、第２係止部３５は、保持部２９の下壁の上方に、通信基板２８（後述）の高さ分の間隔を隔てて形成されている。
（１−３）後壁
図３および図５に示すように、後壁１７は、左右方向に長手の正面視略矩形状に形成されている。後壁１７は、その後面に、第２被係合部および第２スナップ部材の一例としてのスナップ受部２７を備えている。
【００６４】
スナップ受部２７は、後壁１７の左端部において、後壁１７の後面から後側へ突出する背面視略矩形状の角柱状に形成されている。スナップ受部２７の後面には、ねじ穴３８が設けられている。
（１−４）底板
図３に示すように、底板６５は、平面視略矩形状に形成され、傾斜部４２と、水平部４３とを備えている。
【００６５】
傾斜部４２は、底板６５の前後方向略中央部から、後側に向かうに従って、下方に向けて（画像形成部５側に向けて）傾斜する平面視略矩形状に形成されている。
【００６６】
水平部４３は、底板６５の前後方向略中央部から、前側へ向かって水平な平面視略矩形状に形成されている。
【００６７】
そして、右側壁１５、左側壁１６、後壁１７および底板６５から、排紙トレイ８が構成されている。
（２）側壁の詳細
図１および図２に示すように、一対の側壁１２は、樹脂材料から、側面視略矩形状の平板形状に形成され、画像形成部５およびトレイ形成部材１３を左右両側から被覆するように互いに間隔を隔てて対向配置されている。つまり、トレイ形成部材１３は、両側壁１２の上端部を連結するように設けられている。また、側壁１２の上端縁は、トレイ形成部材１３の上端縁と略面一に形成されている。
【００６８】
また、側壁１２には、その上端部の前後方向中央部に、凹部１４が形成されている。
【００６９】
凹部１４は、側壁１２の左右方向外面から、左右方向内方へ向かって窪むように、その左右方向外側端縁が開放された平面視略Ｕ字形状に形成されている。また、凹部１４は、側面視において、その上端縁も開放されている。
３．画像読取ユニット
画像読取ユニット３は画像読取部１０と、画像読取部１０を下側から支持する支持フレーム１１とを備えている。
【００７０】
画像読取部１０では、原稿が、押えカバー４４とガラス面（図示せず）との間に配置された後、原稿の画像情報が読み取られる。
【００７１】
図４に示すように、支持フレーム１１は、平面視略矩形状の平板形状に形成されている。支持フレーム１１は、第１係合部の一例としての支持フレーム側フック４５と、第２係合部の一例としての凹スナップ部４６およびスナップフック部４８（図５参照）と、突起の一例としてのボス４７と、把持部４９とを備えている。
（１）支持フレーム側フックの詳細
支持フレーム側フック４５は、支持フレーム１１の右端部において、前後方向に互いに間隔を隔てて２つ設けられている。支持フレーム側フック４５は、第１鉤状部の一例としての鉤状部５０と、第１補強部の一例としての補強部５１とを一体的に備えている。
【００７２】
鉤状部５０は、正面視略Ｌ字状に形成されている。詳しくは、鉤状部５０は、支持フレーム１１の下面の右端部から、下方に向かって延びる第１立設部の一例としての立設部５２と、立設部５２の下端部から右方へ向かって延びる第１延出部の一例としての延出部５３とを備えている。
【００７３】
補強部５１は、正面視略矩形状の平板形状に形成され、鉤状部５０を正面視したときに、支持フレーム１１の下面と、立設部５２と、延出部５３とに囲まれた空間を閉鎖するように設けられている。
【００７４】
より具体的には、前側の支持フレーム側フック４５の補強部５１は、前側の支持フレーム側フック４５の立設部５２および延出部５３の前端部に連続するように設けられている。また、後側の支持フレーム側フック４５の補強部５１は、後側の支持フレーム側フック４５の立設部５２および立設部５２の後端部に連続するように備えられている。
（２）凹スナップ部の詳細
凹スナップ部４６は、支持フレーム１１の下面の左端部において、前後方向に間隔を隔てて２つ設けられている。凹スナップ部４６は、側面視略矩形状の平板形状に形成され、支持フレーム１１の下面から下方へ延び、左右にたわむ弾性変形可能に設けられている。また、凹スナップ部４６の下端部には、前後方向中央部において、凸スナップ部２４を受け入れ可能な、側面視略矩形状の凹部の一例としての第１貫通穴５４が設けられている。すなわち、凹スナップ部４６は、第２スナップ部として機能する。
（３）ボスの詳細
ボス４７は、支持フレーム１１の下面において、前後左右方向に間隔を隔てて４つ形成されている。ボス４７は、略円柱形状に形成され、支持フレーム１１の下面から下方へ突出するように設けられている。
【００７５】
詳しくは、右前側のボス４７は、前側の支持フレーム側フック４５の左後側に配置され、右後側のボス４７は、後側の支持フレーム側フック４５の左前側に配置され、左前側のボス４７は、前側の凹スナップ部４６の右後側に配置され、左後側のボス４７は、後側の凹スナップ部４６の右前側に配置されている。
【００７６】
すなわち、ボス４７は、上下方向に投影したときに、全ての支持フレーム側フック４５と、全ての凹スナップ部４６とを最大面積となるように結んだ投影面内に配置される。
（４）スナップフック部の詳細
図５に示すように、スナップフック部４８は、側面視略Ｌ字状に形成されている。詳しくは、スナップフック部４８は、支持フレーム１１の後側左端部において、下面から下方に延びる脚部５８と、その下端部から、前側に突出する凸部の一例としての爪部５９とを備えている。すなわち、スナップフック部４８は第１スナップ部として機能する。
【００７７】
脚部５８は、前後に弾性変形可能な平面視略矩形状の平板形状に形成されており、その下端部には、前後方向に貫通する第２貫通穴６０が設けられている。
【００７８】
爪部５９は、前側へ向かう頂部を有し、上辺が前後方向に延びる側面視略直角三角形状に形成されている。
（５）把持部の詳細
図４に示すように、把持部４９は、支持フレーム１１の左右方向両端部の前後方向中央部にユーザが把持するために、設けられている。把持部４９は、支持フレーム１１の下面から上側へ凹む底面視略矩形状に形成されている。
４．本体ケーシングに対する画像読取ユニットの組み付け
次に、本体ケーシング２に対する画像読取ユニット３の組み付けについて説明する。なお、組み付け方法の説明において、本体ケーシング２のトレイ形成部材１３と、画像読取ユニット３の支持フレーム１１とを詳細に説明する。
【００７９】
本体ケーシング２に画像読取ユニット３を組み付けるには、まず、図２に示すように、本体ケーシング２の上方に、画像読取ユニット３を配置する。
【００８０】
そして、図５および図８に示すように、支持フレーム１１の右端部を下方に傾けて、支持フレーム側フック４５の鉤状部５０が本体側フック１８の鉤状部２０に嵌合されるように、支持フレーム側フック４５を本体側フック１８に係合させる。
【００８１】
次に、支持フレーム１１の左端部を支持フレーム１１の右端部を支点として、下方へ揺動させる。
【００８２】
すると、まず支持フレーム１１の右側に配置された２つのボス４７が、２つの第１ボス穴１９に、それぞれ嵌合される。このとき、支持フレーム１１はトレイ形成部材１３に対して、比較的大きく傾斜しているため、ボス４７は、第１ボス穴１９に対して、傾斜した状態で嵌合される。このとき、第１ボス穴１９は、左右方向に長手に形成されているので、傾斜した状態で、嵌合されるボス４７を円滑に受け入れることができる。
【００８３】
そして、さらに支持フレーム１１を揺動させると、左側に配置された２つのボス４７と、２つの第２ボス穴２５とが、それぞれ嵌合される。このとき、支持フレーム１１は、トレイ形成部材１３に対して、ほぼ並行しているため、ボス４７は、第１ボス穴１９に対してほぼ垂直に第２ボス穴２５に嵌合される。
【００８４】
そして、さらに支持フレーム１１を揺動させると、凸スナップ部２４と、凹スナップ部４６とが当接されるとともに、スナップフック部４８の爪部５９と、スナップ受部２７とが当接される。
【００８５】
すると、凹スナップ部４６は、凸スナップ部２４の突出分だけ左側へ弾性変形する。さらに、支持フレーム１１を揺動させると、左右方向において、凸スナップ部２４と、凹スナップ部４６の第１貫通穴５４との位置が一致する。すると、凹スナップ部４６が復元して、凸スナップ部２４が、凹スナップ部４６の第１貫通穴５４内に受け入れられる。
【００８６】
また、スナップフック部４８は、脚部５８において、爪部５９分だけ後側へ弾性変形する。さらに、支持フレーム１１を揺動させると、スナップフック部４８の脚部５８が復元して、スナップフック部４８の爪部５９が、スナップ受部２７の下側に配置される。
【００８７】
これにより、図７および図８に示すように、凹スナップ部４６が、凸スナップ部２４に対して係合されるとともに、スナップフック部４８と、スナップ受部２７が係合される。
【００８８】
そして、ねじ（図示せず）を、第２貫通穴６０を介して、スナップ受部２７のねじ穴３８に螺合させるとともに、凸スナップ部２４のねじ穴２６に螺合させると、本体ケーシング２に対する画像読取ユニット３の組み付けが完了する。
【００８９】
なお、これにより、図１に示すように、把持部４９は凹部１４に対向される。
５．保持部に対する通信基板の組み付け
次に、トレイ形成部材１３の保持部２９に対して、外部のパーソナルコンピュータと通信するための無線ＬＡＮの基板などの通信基板２８の組み付けについて説明する。
【００９０】
図９に示すように、通信基板２８は、略矩形平板形状に形成されている。通信基板２８を保持部２９に組み付けるには、通信基板２８の下端部を、保持部２９の下壁に当接させる（図９（ａ）参照）。これにより、通信基板２８の下端部は、保持部２９の下壁の第１係止部３３により、係止される。
【００９１】
次いで、通信基板２８を第１係止部３３に係止させたまま、通信基板２８を左側壁１６側へ押し込む。これにより、通信基板２８は、規制壁３４と、第２係止部３５とに係止される（図９（ｂ））。
【００９２】
その結果、通信基板２８は、保持部２９に組み付けられる。
６．作用効果
（１）このプリンタ１によれば、図８に示すように、本体ケーシング２の右端部（直交方向一端部）は、本体側フック１８と支持フレーム側フック４５とが係合されることにより、支持フレーム１１の右端部に対して固定される。
【００９３】
また、図５に示すように、本体ケーシング２の左端部（直交方向他端部）は、凸スナップ部２４と凹スナップ部４６とが係合されることにより、支持フレーム１１の左端部に対して固定される。
【００９４】
そのため、プリンタ１を支持フレーム１１に設けられた把持部４９で把持するときに、本体ケーシング２と支持フレーム１１とのがたつきを、少なくとも左右方向（直交方向）において、抑制することができる。
【００９５】
これにより、各係合部（支持フレーム側フック４５、凹スナップ部４６）および各被係合部（本体側フック１８、凸スナップ部２４）に、本体ケーシング２のがたつきに起因する荷重がかかることを抑制できる。
（２）また、このプリンタ１によれば、図６および図７に示すように、支持フレーム１１は、支持フレーム側フック４５と、凹スナップ部４６とを備え、トレイ形成部材１３は、本体側フック１８と、凸スナップ部２４とを備える。
【００９６】
そのため、簡易な構成で本体側フック１８と支持フレーム側フック４５とを係合することができるとともに、凸スナップ部２４と凹スナップ部４６とを係合することができる。
【００９７】
これにより、本体ケーシング２と支持フレーム１１を簡易な構成で組み付けることができる。
（３）また、このプリンタ１によれば、図３および図４に示すように、支持フレーム１１の支持フレーム側フック４５は、補強部５１を備え、本体ケーシング２側の本体側フック１８は、補強部２１を備える。
【００９８】
そのため、プリンタ１を上方に持ち上げたときに、補強部５１によって、支持フレーム１１の延出部５３が、本体ケーシング２の方向へのたわむことを抑制することができるとともに、補強部２１によって、本体ケーシング２の延出部２３が、支持フレーム１１の方向へのたわむことを抑制することができる。
【００９９】
これにより、支持フレーム１１を把持してプリンタ１を持ち上げたときに、本体ケーシング２を支持フレーム１１に確実に追従させることができる。
（４）また、このプリンタ１によれば、図３および図４に示すように、支持フレーム１１はボス４７を備え、本体ケーシング２はボス穴（第１ボス穴１９、第２ボス穴２５）を備える。
【０１００】
そのため、ボス４７とボス穴（第１ボス穴１９、第２ボス穴２５）との嵌合により、本体ケーシング２と支持フレーム１１とのがたつきをより抑制することができる。
（５）また、このプリンタ１によれば、図４に示すように、４つのボス４７の内２つは、支持フレーム１１の左端部（直交方向他方側）に形成されている。
【０１０１】
そのため、ボス４７は凸スナップ部２４および凹スナップ部４６の近傍において、本体ケーシング２と支持フレーム１１とのがたつきをより抑制することができる。
【０１０２】
これにより、本体ケーシング２のがたつきに起因して、凸スナップ部２４および凹スナップ部４６に荷重がかかることを抑制できる。
【０１０３】
その結果、凸スナップ部２４および凹スナップ部４６の破損を防止することができる。
（６）また、このプリンタ１によれば、図７に示すように、左右方向外側（直交方向外側）の本体側フック１８と凹スナップ部４６で、本体ケーシング２と支持フレーム１１とのがたつきを防止できるとともに、左右方向内側（直交方向内側）のボス４７で、本体側フック１８と凹スナップ部４６にかかる荷重の一部（左右方向における荷重）を受けることができる。
【０１０４】
その結果、本体ケーシング２と支持フレーム１１とのがたつきを抑制しながら、本体側フック１８と凹スナップ部４６の破損を防止することができる。
（７）また、このプリンタ１によれば、支持フレーム１１の後側にスナップフック部４８を設け、本体ケーシング２の後側にスナップ受部２７を設けている。
【０１０５】
そのため、本体ケーシング２と支持フレーム１１とのがたつきを前後方向（対向方向と直交方向との両方と直交する方向）においても、抑制することができる。
（８）また、このプリンタ１によれば、図１および図２に示すように、本体ケーシング２は、画像形成部５を挟むように配置される一対の側壁１２と、側壁１２を連結するようにトレイ形成部材１３を備えている。
【０１０６】
そのため、一対の側壁１２をトレイ形成部材１３で連結することにより、本体ケーシング２の剛性を確保できる。
（９）また、このプリンタ１によれば、図９に示すように、通信基板２８を保持する保持部２９が設けられている。
【０１０７】
そのため、通信基板２８を画像形成部５と画像読取部１０との間に効率よく配置することができる。
７．第２実施形態
図１０を参照して、画像読取ユニットの第２実施形態を説明する。なお、第２実施形態において、上記した第１実施形態と同様の部材には同様の符号を付し、その説明を省略する。
【０１０８】
上記した第１実施形態では、支持フレーム１１は、本体ケーシング２と平面視略同じ大きさに形成され、把持部４９は、支持フレーム１１の左右方向端部に設けられている。そして、本体ケーシング２に対して画像読取ユニット３を組み付けると、把持部４９は、側壁１２の凹部１４に対向される（図１参照）。
【０１０９】
これに対して、本発明の第２実施形態では、支持フレーム１１は、その右端部から右側に突出する第１突出部の一例としての右膨出部６９と、その左端部から左側に突出する第２突出部の一例としての左膨出部７０とを備えている。右膨出部６９および左膨出部７０の下面には、前後方向に延びるように把持部４９が設けられている。
【０１１０】
また、支持フレーム１１は、その下面に、嵌合部７１を備える。
【０１１１】
嵌合部７１は、支持フレームの左右方向両端部に形成され、本体ケーシング２に対して画像読取ユニット３を組み付けたときに、側壁１２の凹部１４内に嵌合されるように間隔を隔てて２つ形成されている。また、嵌合部７１は、支持フレーム１１の下面から、下側へ突出する側面視略矩形状に形成され、左右方向に厚みを有する厚板状に形成されている。
【０１１２】
そして、本体ケーシング２に対して画像読取ユニット３の組み付けると、嵌合部７１が凹部１４内に嵌合され、右膨出部６９と左膨出部７０とが、本体ケーシング２より左右方向外側へ突出する。
【０１１３】
第２実施形態によれば、右膨出部６９および左膨出部７０の把持部４９を把持することで、プリンタ１を、左右方向（直交方向）において安定に持ち上げることができる。
【０１１４】
また、第２実施形態においても、上記した第１実施形態と同様の作用効果を得ることができる。
【符号の説明】
【０１１５】
１      プリンタ
２      本体ケーシング
５      画像形成部
１０    画像読取部
１１    支持フレーム
１２    側壁
１３    トレイ形成部材
１８    本体側フック
１９    第１ボス穴
２０    鉤状部
２１    補強部
２２    立設部
２３    延出部
２４    凸スナップ部
２５    第２ボス穴
２７    スナップ受部
２８    通信基板
２９    保持部
４５    支持フレーム側フック
４６    凹スナップ部
４７    ボス
４８    スナップフック部
４９    把持部
５０    鉤状部
５１    補強部
５２    立設部
５３    延出部
６９    右膨出部
７０    左膨出部
【図１】
0005870644.tif 000002
【図２】
0005870644.tif 000003
【図３】
0005870644.tif 000004
【図４】
0005870644.tif 000005
【図５】
0005870644.tif 000006
【図６】
0005870644.tif 000007
【図７】
0005870644.tif 000008
【図８】
0005870644.tif 000009
【図９】
0005870644.tif 000010
【図１０】
0005870644.tif 000011